(57)【要約】  シェービングカミソリが、ハンドルに結合されたハウジングと、ハウジング内に取り付けられた１つ以上のブレードと、光源とを有する。光源は、ブレードエッジの正確な場所をユーザーの皮膚上に表示する画定イメージを投影して、シェービング中にユーザーがブレードエッジを皮膚上で適切に位置合わせさせることを可能にする。
2009541004.tif 000002
【特許請求の範囲】
【請求項１】
ハンドルに結合されたハウジングと、前記ハウジング内に取り付けられた１つ以上のブレードと、光源と、を備え、前記ブレードのそれぞれがブレードエッジを含むシェービングカミソリであって、前記光源が、前記ブレードエッジの１つの正確な場所をユーザーの皮膚上に表示する画定イメージを投影して、シェービング中に前記ブレードエッジの適切な位置合わせを可能にすることを特徴とする、シェービングカミソリ。
【請求項２】
前記画定イメージが線セグメントを含む、請求項１に記載のシェービングカミソリ。
【請求項３】
前記画定イメージが複数の線セグメントを含む、請求項１に記載のシェービングカミソリ。
【請求項４】
前記画定イメージが、前記ハウジング又は前記ハンドルから投影される、請求項１に記載のシェービングカミソリ。
【請求項５】
前記光源が、１つ以上の高照度要素を含む、請求項１に記載のシェービングカミソリ。
【請求項６】
前記画定イメージが間欠的に投影される、請求項１に記載のシェービングカミソリ。
【請求項７】
前記光源が、発光ダイオード、レーザー、ハロゲン電球、又はルミネセント電球からなる群から選択される、請求項１に記載のシェービングカミソリ。
【請求項８】
前記シェービングカミソリが、乾式カミソリ又は湿式カミソリである、請求項１に記載のシェービングカミソリ。
【請求項９】
前記画定イメージが、前記皮膚上に直接投影される、請求項１に記載のシェービングカミソリ。
【請求項１０】
前記画定イメージが、反射面上を介して前記皮膚上に投影される、請求項１に記載のシェービングカミソリ。
【請求項１１】
前記光源が、複数のブレードエッジの正確な場所を前記ユーザーの前記皮膚上に表示する、複数の画定イメージを投影する、請求項１に記載のシェービングカミソリ。
【発明の詳細な説明】
【技術分野】
【０００１】
本発明は、シェービングカミソリに関するものであり、更に特定すれば、ブレードエッジの場所をユーザーの皮膚上に表示するイメージを皮膚上に投影する光源を有して、シェービング中にユーザーがブレードエッジを皮膚上で適切に位置合わせさせることを可能にする、シェービングカミソリに関する。
【背景技術】
【０００２】
近年、多数のブレードを有するシェービングカミソリが、文献に提案され市販されており、例えば、米国２００５／００３９３３７  Ａ１（２００５年２月２４日公開）には、ジレット社（The Gillette Company）により５枚ブレード付きフュージョン（Fusion：商標）カミソリとして市販されているタイプの設計が一般的に記されている。
【０００３】
シェービングカミソリ上のブレード枚数を増加すると、一般に、カミソリのシェービング効率を向上させ、かつ圧縮力を皮膚上でより良く分布させる傾向になるが、例えばもみあげ又は鼻近辺を整える能力を低減する場合もある。整えるという能力を向上させるために、カミソリカートリッジの後に取り付けられた追加ブレードが設けられている。追加ブレードを有するそのような設計が、米国２００５／００３９３３７  Ａ１に記載され、ジレット社（The Gillette Company）によるフュージョン（Fusion：商標）カミソリにて市販されている。
【０００４】
トリミングブレードは、もみあげ又は鼻近辺の毛を整えるのに非常に有用であるが、トリミングブレードがカミソリカートリッジによって視界から隠されるので、トリミングブレードの正確な場所を位置決めすることは困難である。隠されていると、ユーザーは、きちんと整えるためにトリミングブレードを皮膚上で間違い無く位置決めすることが困難になる。トリミングブレードを間違い無く位置決めできないことが、間違いの無いシェービングに至らなくなり、満足のいくシェービング経験にはほど遠い結果となる場合もある。
【発明の開示】
【発明が解決しようとする課題】
【０００５】
それ故に、トリミングブレードの場所をユーザーの皮膚上に表示するイメージを皮膚上に投影する光源を有して、シェービング中にユーザーがトリミングブレードを皮膚上で適切に位置合わせさせることを可能にする、シェービングカミソリを提供することが望ましい。
【課題を解決するための手段】
【０００６】
一態様において、本発明は、一般的に、ハンドルに結合されたハウジングと、ハウジング内に取り付けられた１つ以上のブレードと、光源とを含み、ブレードのそれぞれにブレードエッジを含むシェービングカミソリであって、光源が、ブレードエッジの１つの場所をユーザーの皮膚上に表示する画定イメージを投影して、シェービング中にブレードエッジの適切な位置合わせを可能にする、シェービングカミソリを特徴とする。画定イメージは、線セグメント（単数又は複数）であってもよい。
【０００７】
画定イメージは、ハウジングから投影されてもよく、ハンドルから投影されてもよい。画定イメージは、連続的に投影されても、間欠的に投影されてもよい。画定イメージは、皮膚上に直接投影されてもよい。画定イメージは、反射面上を介して皮膚上に投影されても、すなわち間接的に皮膚上に投影されてもよい。
【０００８】
光源は、高照度要素（単数又は複数）であってもよい。高照度要素は、電気的に活性化される構成要素であってもよい。光源は、発光ダイオード、レーザー、ハロゲン電球、ルミネセント電球からなる群から選択されてもよい。光源は、複数のブレードエッジの場所をユーザーの皮膚上に表示する、複数の画定イメージを投影してもよい。
【０００９】
シェービングカミソリは、乾式カミソリであっても、湿式カミソリであってもよい。
【発明を実施するための最良の形態】
【００１０】
図１〜３を参照して、湿式シェービングカミソリ１０には、取り外し可能にハンドル１３に結合された、ハウジング又はカートリッジ１２が含まれる。ハウジング１２には、ハウジング１２に取り付けられた１つ以上の第一ブレード１７と、ハウジング１２に取り付けられた別個の第二又はトリマーブレード１９とが含まれる。ブレード１７及び１９は、金属クリップ２１によってハウジング１２内に保持される。第一のブレード１７は、ほぼ平行な鋭い刃先１８を有して、第一の方向に延びている。第二又はトリミングブレード１９は、第一の方向とは異なる第二の方向に延びる、鋭い刃先２０を有する。第一のブレード１７は、その刃先１８をハウジング１２の第一の側２３上に有し、一方、第二のブレード１９は、その刃先２０をハウジング１２の反対側の第二の側２５上に有する。
【００１１】
ここで図１を参照すると、ハンドル１３が、他の内側構成要素のために中空内部を提供する。図１に示される実施形態では、ハンドル１３は、３つの別個の部分から形成される。第一の部分１４が、ハンドルの前側に対応し、第二の部分１５が、ハンドルの後ろ側に対応し、第三の部分１６が、第一及び第二の部分に取り付けられて、ハンドルの末尾部を形成する。この実施形態では、第一の部分１４は、第二の部分１５に永久的に固着されており、第三の部分１６は、差し込み取り付け又は他の従来法取り付けによって、第一及び第二の部分に取り付けられる。
【００１２】
ここで図２を参照すると、ガード構造体３０が、ハウジング１２上に設けられて、ブレード１７の前で皮膚に接触するようになっており、更に、キャップ構造体３４が、ハウジング１２上に設けられて、シェービングストローク中に、ブレード１７の後ろで皮膚に接触するようになっている。ガード構造体３０は、エラストマー材を含んでもよい。キャップ構造体３４は、潤滑性ストリップを含んでもよい。
【００１３】
ここで図３を参照すると、ガード構造体４０が、ハウジング１２上に設けられて、トリマーブレード１９の前で皮膚に接触するようになっており、更に、キャップ構造体４４が、ハウジング１２上に設けられて、シェービングストローク中に、ブレード１９の後ろで皮膚に接触するようになっている。ガード構造体４０は、エラストマー材を含んでもよい。キャップ構造体４４は、潤滑性ストリップを含んでもよい。
【００１４】
ここで図１を参照すると、ハウジング１２は、ハブ３５から延びる対のアーム５２を有するヨーク部材５０上に旋回的に結合され、かつハウジング１２の対向する両端部で軸支持されており、その結果、ハウジング１２は、ブレードエッジにほぼ平行な軸線周りでハンドル１３に相対的に旋回可能である。ハブ３５は、選択的にハンドル１３に取り付けられ、これから取り外される。いかなる既知のハブも利用可能である。この実施形態では、リリースボタン３６がハブ３５と協働しており、リリースボタン３６が内向きに押されたときに、ハブ３５がハンドル１３との係合を解かれるようになっている。
【００１５】
ここで図４を参照すると、カミソリ１０には、ハンドル１３に取り外し可能に結合されたハウジング１２が含まれる。ハンドル１３には、光源６０が含まれる。光源６０は、線セグメントなどの画定イメージ６２をハンドル１３からユーザーの皮膚７０上に投影する。画定イメージ６２は、ブレード１９のブレードエッジ２０がユーザーの皮膚７０に接触するであろう場所を表示する。これにより、ユーザーは、毛を間違い無くシェービングするために、ブレードエッジ２０を皮膚上で適切に位置合わせさせることができる。線セグメントの寸法は、望むように最適化可能である。
【００１６】
光源６０は、電源８０により電力供給される。電源８０は、ＡＡサイズ電池又はＡＡＡサイズ電池などのいかなる従来型電源であってもよい。電源８０は、選択された光源に必要な電力を供給するように最適化されていてもよい。ハンドル１３は、ＡＡＡ電池を受け入れるように適合された電源区画５８を画定する。電源区画５８は、異なるサイズの電池及び／又は電源を受入れできるように異なる寸法にされていてもよい。電源８０は、ハンドル１３の第三の部分１６を第一の部分１４及び第二の部分１５から取り外すことによって接近可能になる。
【００１７】
光源は、ボタン若しくはスイッチが含まれるいずれかの通常手段により、手で活性化されてもよく、又はオルガナイザー（organizer）からの復旧で、若しくは顔にごく近接したときに光源を活性化させる近接センサーなどのセンサーの利用で、自動的に活性化してもよい。次に、シェービング中に光源を自動的に走らせるか、又は光源の活性化若しくは非活性化の間を手制御するかの選択を、ユーザーに与えることができる。示される実施形態では、光源６０は、電力を電源８０から光源６０に供給する回路５７を選択的に開く及び閉じるスイッチ５６を活性化する、ボタン５５によって活性化される。ボタン５５は、ハンドル１３の第二の部分１５上に配置されている。ボタン５５は、代わりの場所に配置されてもよい。
【００１８】
図４では、画定イメージ６２は、線セグメントである。画定イメージ６２は、図５に示されるように、皮膚７０上に投影される複数の線セグメントであってもよい。それぞれの線セグメントの寸法、線セグメント間の間隔、及び線セグメントの数は、望むように最適化可能である。画定イメージは、線セグメントであるのが好ましいが、ブレードエッジの場所を皮膚上に表示するのに適する他の形状であってもよい。
【００１９】
画定イメージは、例えば赤、黒、緑、青などの単一色として皮膚上に投影されてもよい。画定イメージは、例えば赤と緑、赤と青、又は赤と黄と緑などの２つ以上の組合せとして皮膚上に投影されてもよい。
【００２０】
画定イメージは、皮膚上に連続法で投影されても、間欠的に投影されてもよい。間欠投影が選択される場合、投影サイクルの持続時間及び静止サイクルの持続時間は、望むように選択可能である。間欠投影は、投影サイクル及び静止サイクルが同一持続時間であっても、又は異なる持続時間であって、投影サイクル若しくは静止サイクルのいずれかの持続時間がより長いというようなものであってもよい。
【００２１】
光源は、高照度要素（単数又は複数）であってもよい。光源は、発光ダイオード、レーザー、ハロゲン電球、又はルミネセント電球であってもよい。光源はまた、複数の発光ダイオード、複数のレーザー、複数のハロゲン電球、又は複数のルミネセント電球であってもよい。
【００２２】
図４の実施形態では、画定イメージ６２が、皮膚７０上に直接投影されている。ここで図６を参照すると、シェービングカミソリ１０が示されている。シェービングカミソリ１０には、ハンドル１３に取り外し可能に結合されたハウジング１２が含まれる。ハンドル１３には、電源８０により電力供給される光源６０が含まれる。光源６０は、電力を電源８０から光源６０に供給する回路５７を選択的に開く及び閉じるスイッチ５６を活性化する、ボタン５５によって活性化される。光源６０は、ハウジング１２の頂部近辺でトリミングブレード１９のブレードエッジ２０の直下に配置された、反射面８３上にイメージを投影する。イメージは、反射面８３からユーザーの皮膚７０上に反射されて、間接的に皮膚７０上に投影された画定イメージ６２という結果になる。あるいは、反射面８３は、トリミングブレード１９のブレードエッジ２０の真上に配置されてもよい。電源、光源、画定イメージ、及び光源活性化法についての選択は、前のままである。
【００２３】
ここで図７を参照すると、シェービングカミソリ１０が示されている。シェービングカミソリ１０には、ハンドル１３に取り外し可能に結合されたハウジング１２が含まれる。ハウジング１２には、光源６０が含まれる。光源６０は、ハンドル１３内に配置された電源８０により電力供給される。光源６０は、画定イメージ６２をハウジング１２から直接、ユーザーの皮膚７０上に投影する。画定イメージ６２は、ブレード１９のブレードエッジ２０がユーザーの皮膚７０に接触するであろう場所を表示する。電源８０は、回路５７を介して光源６０に電気接続する。摺動ボタン５５は、電力を電源８０から光源６０に供給する回路５７を選択的に開く及び閉じるスイッチ５６を活性化するために、前後に移動される。
【００２４】
図８を参照して、乾式シェービングカミソリ１０は、ハンドル１３に取り外し可能に結合された、ハウジング又はカートリッジ１２が含まれる。ハウジング１２には、ハウジング１２内に取り付けられた１つ以上の第一ブレード１７と、ハウジング１２内に取り付けられた別個の第二又はトリマーブレード１９とが含まれる。第一ブレード１７は、保護フォイル９０の下側に配置されている。第一ブレード１７は、前後運動にて振動する。第一ブレード１７は、鋭い刃先１８を有する。第二又はトリミングブレード１９は、ハウジング１２上に取り付けられて、鋭い刃先２０を有する。
【００２５】
ハンドル１３には、光源６０が含まれる。光源６０は、電力を電源８０から光源６０に供給する回路５７を選択的に開く及び閉じるスイッチ５６を活性化する、ボタン５５によって活性化される。光源６０は、線セグメントなどの画定イメージ６２をハンドル１３からユーザーの皮膚７０上に投影する。画定イメージ６２は、ブレード１９のブレードエッジ２０がユーザーの皮膚７０に接触するであろう正確な場所を表示する筈である。これにより、ユーザーは、毛を間違い無くシェービングするために、ブレードエッジ２０を皮膚上で適切に位置合わせさせることができる。
【００２６】
電源８０は、好ましくは、充電式の電源である。電源８０は、第一ブレード１７及びトリマーブレード１９にも電力を供給する。第一ブレード１７及びトリマー１９は、光源６０を活性化するものと同じスイッチにより活性化されても、独立のスイッチにより活性化されても、又はこれらの組合せで活性化されてもよい。
【００２７】
ここで図９を参照すると、シェービングカミソリ１０には、ハンドル１３に取り外し可能に結合されたハウジング１２が含まれる。ハウジングには、ハウジング１２内に取り付けられた、３つのブレード１７が含まれる。ハウジング１２には、複数の高照度要素６１で構成される、光源６０が含まれる。複数の高照度要素６１は、複数の画定イメージ６２をハウジング１２から皮膚上に投影する。見られるように、３つの画定イメージ１６２、２６２、及び３６２が、ハウジング１２から皮膚上に投影されると、ハウジング１２に取り付けられた３つのブレードのそれぞれと一致する。２つの追加的な画定イメージ４６２及び５６２が、ハウジング１２から皮膚上に投影されて、ブレードの切断表面のそれぞれの端部を表示する。照度要素６１用の電源は、ハウジング１２内に配置されても、ハンドル１３内に配置されてもよい。電源、光源、画定イメージ、及び光源活性化法についての選択は、前のままである。
【００２８】
ここで図１０を参照すると、シェービングカミソリ１０には、ハンドル１３に結合されたハウジング１２が含まれる。ハウジング１２は、第一のハウジング部分１２ａ及び第二のハウジング部分１２ｂを含有する、二部分からなる構成である。ハウジング部分１２ａは、ハンドル１３に直接結合されており、ハウジング部分１２ｂは、ハウジング部分１２ａを通じて間接的にハンドル１３に結合されている。ハウジング部分１２ｂは、取り外し可能なハウジング部分１２ａに結合されている。ハウジング部分１２ｂには、中に取り付けられたブレード１７が含まれる。ハウジング部分１２ａは、ブレードエッジ９４を有する第一の移動ブレード９３とブレードエッジ９６を有する第二の静止ブレード９５とが付いた、動力式トリマー９２を有する。ハウジング部分１２ａには、ブレードエッジ９４の場所を表示する画定イメージをユーザーの皮膚上に投影する、光源６０が含まれる。
【００２９】
光源６０及びモータ９７が、電源８０により電力供給される。光源６０及びモータ９７は、電力を電源８０から光源６０及びモータ９７に供給する回路５７を選択的に開く及び閉じるスイッチ５６を活性化する、ボタン５５によって活性化される。アーム９８が、モータ９７から前後振動する第一の移動ブレード９３まで延びて、第一の移動ブレード９３を前後運動にて振動させる。
【００３０】
動力式トリマー９２は、ハウジング部分１２ａに固定されるか、又は最も良い使用位置に滑り入れ、跳ね入れ、若しくはねじ入れが挙げられるいずれかの手段によって、ハウジング部分１２ａから突き出るかのいずれも可能である。トリマー９２のブレードエッジ９４及び９６は、歯付き構成である。光源は、それからトリマー９２の位置に従って配置することができる。
【００３１】
一般に、光源から発せられる画定イメージの焦点を合わせるために、１つ以上のレンズが使用されてもよい。レンズを使用すると、ユーザーの皮膚上の画定イメージの被写界深度及び焦点深度を調節して、性能を最適化することができる。レンズは、光源そのものの一部であっても、別個の部材であってもよい。
【００３２】
画定イメージのユーザーの皮膚上への投影が、ブレードの場所又はブレードを確認する以外の効果を有してもよい。画定イメージのユーザーの皮膚上への投影は、ユーザーがハウジング又はカートリッジをユーザーの皮膚に対して適切な角度に置くのを助けることにも、幾つかの効果をもたらすことがある。
【００３３】
「発明を実施するための最良の形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味若しくは定義が、参照として組み込まれる文献における用語のいずれかの意味若しくは定義と対立する範囲については、本文書におけるその用語に与えられた定義を適用するものとする。
【００３４】
本発明にかかる具体的な実施形態を図示し、記載したが、本発明の趣旨及び範囲から逸脱することなく他の種々の変更及び修正を実施できることが当業者には自明である。従って、本発明の範囲内にあるそのような全ての変更及び修正を添付の特許請求の範囲で扱うものとする。
【図面の簡単な説明】
【００３５】
【図１】湿式シェービングカミソリの斜視図。
【図２】図１に示されるシェービングカミソリのハウジングの前側又は第一側の平面図。
【図３】図１に示されるシェービングカミソリのハウジングの後ろ側又は第二側の平面図。
【図４】ユーザーの皮膚に隣接する位置にある、図１のシェービングカミソリを示す。
【図５】別の画定イメージの実施形態を示す。
【図６】ユーザーの皮膚に隣接する位置にある、湿式シェービングカミソリの代替実施形態を示す。
【図７】ユーザーの皮膚に隣接する位置にある、湿式シェービングカミソリの代替実施形態を示す。
【図８】ユーザーの皮膚に隣接する位置にある、乾式シェービングカミソリの代替実施形態を示す。
【図９】湿式シェービングカミソリの代替実施形態を示す。
【図１０】湿式シェービングカミソリの代替実施形態を示す。
【図１】
2009541004.tif 000003
【図２】
2009541004.tif 000004
【図３】
2009541004.tif 000005
【図４】
2009541004.tif 000006
【図５】
2009541004.tif 000007
【図６】
2009541004.tif 000008
【図７】
2009541004.tif 000009
【図８】
2009541004.tif 000010
【図９】
2009541004.tif 000011
【図１０】
2009541004.tif 000012
【国際調査報告】
2009541004.tif 000013
2009541004.tif 000014
2009541004.tif 000015